(57)【要約】【課題】  打ち込み作業でのレスポンスと連続早打ち性能を向上させる打込機を提供する。【解決手段】  トリガバルブ室１３と大気とを連通するトリガバルブ制御通路１６の断面積を拡大するとともに、メインバルブ室８と大気とトリガバルブ６を通じて連通するメインバルブ制御通路４０の断面積を拡大して、メインバルブ室８の容積を該メインバルブ制御通路４０の断面積で除した値が1.0以下となるようにすると共に該メインバルブ制御通路４０からトリガバルブ６内を通過して外気に排出される通路の断面積がメインバルブ制御通路４０の断面積以上となり、かつトリガバルブ室１３の容積を該トリガバルブ制御通路１６の断面積で除した値が0.20以下となるようにする。【選択図】図２
2005205504.tif 000002
【特許請求の範囲】
【請求項１】
圧縮空気を蓄える蓄圧室を内部に画成するフレームと、
該フレーム内に設けられる円筒状のシリンダと、
該シリンダ内に往復摺動可能に設けられたピストンと、
被打込材に接触するプッシュレバーと、
動作入力部であるトリガと、
該シリンダに往復摺動可能に設けられ、該ピストンの上面及び該シリンダの内面より画成されるピストン上室から該蓄圧室への通路及び大気への通路を択一的に形成するメインバルブと、
該メインバルブを収容するメインバルブ室を画成するためのメインバルブ室画成部と、
該蓄圧室から該メインバルブ室への通路及び該メインバルブ室から大気への通路を択一的に連通、遮断するトリガバルブと、
該メインバルブ室より延出されてトリガバルブに連通するメインバルブ制御通路を画成するメインバルブ制御通路部と、を備えた打込機であって、
該トリガバルブは、該トリガバルブの外郭となるトリガバルブ外枠部と、該トリガバルブ外枠部内に往復摺動可能に設けられてその摺動方向の一面が該蓄圧室内に面し、該トリガバルブ外枠部に該メインバルブ制御通路から該蓄圧室に連通する通路及び該メインバルブ制御通路から大気に連通する通路を択一的に連通、遮断するバルブピストンと、該トリガバルブ外枠部を貫通すると共に該バルブピストン内に貫入されたプランジャと、を有し、該プランジャが該トリガバルブ外枠部を貫通した貫通箇所の隙間箇所にはトリガバルブ制御通路が提供され、該バルブピストンの摺動方向の他面及び該トリガバルブ外枠部によりトリガバルブ室が画成され、該プランジャは該トリガバルブ室を貫通して、該トリガの動作及び該プッシュレバーの被打込材への当接に基づいて上下摺動し、該蓄圧室から該トリガバルブ室までの通路及び該トリガバルブ室から大気までの通路を択一的に連通、遮断する打込機において、
該メインバルブ室容積を該メインバルブ制御通路の断面積で除した値が１．０以下であると共に該メインバルブ制御通路から該トリガバルブ内を通過して大気に連通する通路の断面積がメインバルブ制御通路の断面積以上であることを特徴とする打込機。
【請求項２】
該メインバルブ室容積を該メインバルブ制御通路の断面積で除した値が０．８以下であることを特徴とする請求項１に記載の打込機。
【請求項３】
該メインバルブ室容積を該メインバルブ制御通路の断面積で除した値が０．６以下であることを特徴とする請求項１または請求項２いずれかに記載の打込機。
【請求項４】
該トリガバルブ室容積を該トリガバルブ制御通路の断面積で除した値が０．２０以下であることを特徴とする請求項１乃至請求項３いずれか一に記載の打込機。
【請求項５】
該トリガバルブ室容積を該トリガバルブ制御通路の断面積で除した値が０．１５以下であることを特徴とする請求項１乃至請求項３いずれか一に記載の打込機。
【請求項６】
該トリガバルブ室容積を該トリガバルブ制御通路の断面積で除した値が０．１０以下であることを特徴とする請求項１乃至請求項３いずれか一に記載の打込機。
【請求項７】
該メインバルブ制御通路はその通路途中に屈曲部分を備え、該屈曲部分は円弧状、又は少なくとも２カ所以上の屈折部より構成されることを特徴とする請求項１乃至請求項６いずれか一に記載の打込機。
【請求項８】
該屈曲部分の屈曲角度は１００°以上であることを特徴とする請求項７に記載の打込機。
【請求項９】
圧縮空気を蓄える蓄圧室を内部に画成するフレームと、
該フレーム内に設けられる円筒状のシリンダと、
該シリンダ内に往復摺動可能に設けられたピストンと、
被打込材に接触するプッシュレバーと、
動作入力部であるトリガと、
該シリンダに往復摺動可能に設けられ、該ピストンの上面及び該シリンダの内面より画成されるピストン上室から該蓄圧室への通路及び大気への通路を択一的に形成するメインバルブと、
該メインバルブを収容するメインバルブ室を画成するためのメインバルブ室画成部と、
該蓄圧室から該メインバルブ室への通路及び該メインバルブ室から大気への通路を択一的に連通、遮断するトリガバルブと、
該メインバルブ室より延出されてトリガバルブに連通するメインバルブ制御通路を画成するメインバルブ制御通路部と、を備えた打込機であって、
該トリガバルブは、該トリガバルブの外郭を成し内部にトリガバルブ室を画成するトリガバルブ外枠部と、該トリガの動作及び該プッシュレバーの被打込材への当接に基づいて該トリガバルブ外枠部及び該トリガバルブ室を貫通して上下摺動し、該蓄圧室から該トリガバルブ室までの通路及び該トリガバルブ室から大気までの通路を択一的に連通、遮断するプランジャと、を備えた打込機において、
該メインバルブ室容積を該メインバルブ制御通路の断面積で除した値が１．０以下であると共に該メインバルブ制御通路から該トリガバルブ内を通過して大気に連通する通路の断面積がメインバルブ制御通路の断面積以上であることを特徴とする打込機。
【請求項１０】
該メインバルブ室容積を該メインバルブ制御通路の断面積で除した値が０．８以下であることを特徴とする請求項９に記載の打込機。
【請求項１１】
該メインバルブ室容積を該メインバルブ制御通路の断面積で除した値が０．６以下であることを特徴とする請求項９または請求項１０いずれかに記載の打込機。
【請求項１２】
該メインバルブ制御通路はその通路途中に屈曲部分を備え、該屈曲部分は円弧状、又は少なくとも２カ所以上の屈折部より構成されることを特徴とする請求項９乃至請求項１１いずれか一に記載の打込機。
【請求項１３】
該屈曲部分の屈曲角度は１００°以上であることを特徴とする請求項１１に記載の打込機。
【請求項１４】
圧縮空気を蓄える蓄圧室を内部に画成するフレームと、
該フレーム内に設けられる円筒状のシリンダと、
該シリンダ内に往復摺動可能に設けられたピストンと、
動作入力部であるトリガと、
該ピストンの上面及び該シリンダの内面より画成されるピストン上室から該蓄圧室への通路及び大気への通路を択一的に形成するトリガバルブと、を備えた打込機であって、
該トリガバルブは、該トリガバルブの外郭となるトリガバルブ外枠部と、該トリガバルブ外枠部内に往復摺動可能に設けられてその摺動方向の一面が該蓄圧室内に面し、該トリガバルブ外枠部に連接した該ピストン上室から該蓄圧室に連通する通路及び該ピストン上室から大気に連通する通路を択一的に連通、遮断するバルブピストンと、該トリガバルブ外枠部を貫通すると共に該バルブピストン内に貫入されたプランジャと、を有し、該プランジャが該トリガバルブ外枠部を貫通した貫通箇所の隙間箇所にはトリガバルブ制御通路が提供され、該バルブピストンの摺動方向の他面及び該トリガバルブ外枠部によりトリガバルブ室が画成され、該プランジャが該トリガバルブを貫通して、該トリガの動作に基づいて上下摺動し、該蓄圧室から該トリガバルブ室までの通路及び該トリガバルブ室から大気までの通路を択一的に連通、遮断する打込機において、
該トリガバルブ室容積を該トリガバルブ制御通路の断面積で除した値が０．２０以下であることを特徴とする打込機。
【請求項１５】
該トリガバルブ室容積を該トリガバルブ制御通路の断面積で除した値が０．１５以下であることを特徴とする請求項１４に記載の打込機。
【請求項１６】
該トリガバルブ室容積を該トリガバルブ制御通路の断面積で除した値が０．１０以下であることを特徴とする請求項１４または請求項１５いずれかに記載の打込機。
【請求項１７】
圧縮空気を蓄える蓄圧室を内部に画成するフレームと、
該フレーム内に設けられる円筒状のシリンダと、
該シリンダ内に往復摺動可能に設けられたピストンと、
該ピストンの上面及び該シリンダの内面より画成されるピストン上室から該蓄圧室への通路を連通、遮断するメインバルブと、
該メインバルブを収容するメインバルブ室を画成するためのメインバルブ室画成部と、
該蓄圧室から該メインバルブ室への通路及び該メインバルブ室から大気への通路を択一的に連通、遮断するトリガバルブと、
該メインバルブ室より延出されてトリガバルブに連通するメインバルブ制御通路を画成するメインバルブ制御通路部と、を備えた打込機において、
該メインバルブ室容積を該メインバルブ制御通路の断面積で除した値が１．０以下であることを特徴とする打込機。
【請求項１８】
該メインバルブ室容積を該メインバルブ制御通路の断面積で除した値が０．８以下であることを特徴とする請求項１７に記載の打込機。
【請求項１９】
該メインバルブ室容積を該メインバルブ制御通路の断面積で除した値が０．６以下であることを特徴とする請求項１７または請求項１８いずれかに記載の打込機。
【発明の詳細な説明】
【技術分野】
【０００１】
本発明は圧縮空気により駆動される打込機に関し、特に打ち込みのレスポンスを向上させた打込機に関する。
【背景技術】
【０００２】
従来、圧縮空気を動力源として釘、ステープラ等の留め具を打撃する打込機が存在する。このような打込機は、シリンダ内面とピストンとで形成されるピストン上室に圧縮空気を供給して、ピストンを急激に変位させることにより打撃を行う。圧縮空気は外部から供給されて、打込機のフレーム内に形成される蓄圧室に一旦蓄えられる。蓄圧室とピストン上室とは通路で連通しているが、この通路の途中には連通・遮断を切り換えるひとつ或いは複数のバルブが設けられる。これらのバルブは、バルブと隣接している空間であるバルブ室に、圧縮空気を供給したり排出したりすることにより通路の連通・遮断を切り換えるように構成されたものである。外部からのトリガ操作等に起因にして最初のバルブを作動させ、その動作によって連通・遮断が切り換えられる通路に次のバルブ室を連通するように構成し、これらのバルブを順次作動させるのが一般的である。
【０００３】
特に近年は、例えば特許文献１に記載されているように、バルブ室の容量が小さいバルブからバルブ室の容量が大きいバルブへと順次作動するようにして、トリガを引く操作の緩急にかかわらず、安定して作動するように構成されたものが多い。圧縮空気によりバルブを順次動作させる構成であるため、留め具を打ち出す工程でトリガの引き操作及び被打込材への当接部であるプッシュレバーの動作等が行われてから打撃が開始されるまでの時間は、バルブが順次動作するのに要する時間に大きく依存する。
【０００４】
この時間を短縮してレスポンスを高めるために、例えば特許文献２ではメインバルブを２つに分け、第一のバルブの運動エネルギーを利用して、第二のバルブの動作速度を向上させる構造が提案されている。
【０００５】
また別の手段として、特許文献３では、メインバルブを収容する箇所であるメインバルブ室の容積を大きくすることにより、メインバルブが上昇して収容される際にメインバルブ室が圧縮されてエアダンパ作用が発生しない構造が提案されている。
【特許文献１】特公昭５８−５０８３３号公報
【特許文献２】特公平７−１１２６７４号公報
【特許文献３】特開平１１−３３９３０号公報
【発明の開示】
【発明が解決しようとする課題】
【０００６】
しかし上記のメインバルブを2つに分けた構造においては、第二のバルブが移動開始してから最大変位まで移動する時間のみが短縮される。トリガの引き操作およびプッシュレバーの被打込材への押し当て操作の両方を行ってから、第一のバルブが動作する時間は依然として短縮されず、よってレスポンスを高めるには不十分である。
【０００７】
また上記のメインバルブ室の容積を大きくした構造においては、メインバルブ室に貯溜している圧縮空気量が増加する。そのためメインバルブ室内の該圧縮空気が大気に排出される時間は長くなり、レスポンスの向上の妨げとなる。よって、従来の打込機においては、満足のいくレスポンスを得るには不十分であった。
【０００８】
また、外郭を成して内部にトリガバルブ室を画成するトリガバルブ外枠部と、トリガの動作及びプッシュレバーの被打込材への当接に基づいてトリガバルブ外枠部及びトリガバルブ室を貫通して上下摺動して蓄圧室からトリガバルブ室までの通路及びトリガバルブ室から外部までの通路を択一的に連通、遮断するプランジャとを備えたトリガバルブ及びメインバルブを主要構成要素とした打込機においても同様にメインバルブの空気を排出する場合のレスポンスの問題が発生していた。
【０００９】
また他の従来例として、メインバルブを備えていないが、前述のトリガバルブに、トリガバルブ外枠部内に往復摺動可能に設けられてその摺動方向の一面が蓄圧室内に面し、トリガバルブ外枠部に連接したピストン上室から蓄圧室に連通する通路及びピストン上室から大気に連通する通路を択一的に連通、遮断するバルブピストンを更に備えた打込機がある。この打込機でバルブピストンの変位により空気通路を選択し、留め具の打ち込み等の制御を行うが、バルブピストンの変位の速度が遅く、このバルブピストンの変位の遅れに起因してその他制御も遅れることがある。
【００１０】
以上の要因により、作業者が打ち込み動作を開始してから、実際に留め具が打ち込まれるまでのタイムラグが大きくなり、レスポンスが悪く作業しにくいという問題があった。また連続的に短時間に多数の留め具を打ちたいときに、前記タイムラグのためにこの連続打ちを行い難いという問題があった。
【００１１】
そこで、本発明は、上記した問題点を克服し、打ち込み作業でのレスポンスと連続早打ち性能を向上させる打込機を提供することを目的とする。
【課題を解決するための手段】
【００１２】
上記目的を達成するために、圧縮空気を蓄える蓄圧室を内部に画成するフレームと、該フレーム内に設けられる円筒状のシリンダと、該シリンダ内に往復摺動可能に設けられたピストンと、被打込材に接触するプッシュレバーと、動作入力部であるトリガと、該シリンダに往復摺動可能に設けられ、該ピストンの上面及び該シリンダの内面より画成されるピストン上室から該蓄圧室への通路及び大気への通路を択一的に形成するメインバルブと、該メインバルブを収容するメインバルブ室を画成するためのメインバルブ室画成部と、該蓄圧室から該メインバルブ室への通路及び該メインバルブ室から大気への通路を択一的に連通、遮断するトリガバルブと、該メインバルブ室より延出されてトリガバルブに連通するメインバルブ制御通路を画成するメインバルブ制御通路部と、を備えた打込機であって、該トリガバルブは、該トリガバルブの外郭となるトリガバルブ外枠部と、該トリガバルブ外枠部内に往復摺動可能に設けられてその摺動方向の一面が該蓄圧室内に面し、該トリガバルブ外枠部に該メインバルブ制御通路から該蓄圧室に連通する通路及び該メインバルブ制御通路から大気に連通する通路を択一的に連通、遮断するバルブピストンと、該トリガバルブ外枠部を貫通すると共に該バルブピストン内に貫入されたプランジャと、を有し、該プランジャが該トリガバルブ外枠部を貫通した貫通箇所の隙間箇所にはトリガバルブ制御通路が提供され、該バルブピストンの摺動方向の他面及び該トリガバルブ外枠部によりトリガバルブ室が画成され、該プランジャは該トリガバルブ室を貫通して、該トリガの動作及び該プッシュレバーの被打込材への当接に基づいて上下摺動し、該蓄圧室から該トリガバルブ室までの通路及び該トリガバルブ室から大気までの通路を択一的に連通、遮断する打込機において、該メインバルブ室容積を該メインバルブ制御通路の断面積で除した値が１．０以下であると共に該メインバルブ制御通路から該トリガバルブ内を通過して大気に連通する通路の断面積がメインバルブ制御通路の断面積以上であることを特徴とする打込機を提供する。
【００１３】
このような構成によると、メインバルブ室からの圧縮空気の排気が早くなる。また、該トリガバルブ制御通路を経て大気へと連通する通路においても、排気が妨げられることがない。また、該メインバルブ室容積を該メインバルブ制御通路の断面積で除した値を０．８以下或いは０．６以下と小さくしていくと、排気をより早くすることができる。
【００１４】
また、該トリガバルブ室容積を該トリガバルブ制御通路の断面積で除した値を０．２０以下としてもよい。このような構成によると、該トリガバルブ室からの圧縮空気の排気が早くなる。また、該トリガバルブ室容積を該トリガバルブ制御通路の断面積で除した値を０．１５以下或いは０．１０以下と小さくしていくと、排気をより早くすることができる。
【００１５】
また、該メインバルブ制御通路はその通路途中に屈曲部分を備え、該屈曲部分は円弧状、又は少なくとも２カ所以上の屈折部より構成されてもよい。更に該屈曲部分の屈曲角度は１００°以上であってもよい。このような構成によると、メインバルブ制御通路内の流路抵抗を減少することができる。
【００１６】
また、圧縮空気を蓄える蓄圧室を内部に画成するフレームと、該フレーム内に設けられる円筒状のシリンダと、該シリンダ内に往復摺動可能に設けられたピストンと、被打込材に接触するプッシュレバーと、動作入力部であるトリガと、該シリンダに往復摺動可能に設けられ、該ピストンの上面及び該シリンダの内面より画成されるピストン上室から該蓄圧室への通路及び大気への通路を択一的に形成するメインバルブと、該メインバルブを収容するメインバルブ室を画成するためのメインバルブ室画成部と、該蓄圧室から該メインバルブ室への通路及び該メインバルブ室から大気への通路を択一的に連通、遮断するトリガバルブと、該メインバルブ室より延出されてトリガバルブに連通するメインバルブ制御通路を画成するメインバルブ制御通路部と、を備えた打込機であって、該トリガバルブは、該トリガバルブの外郭を成し内部にトリガバルブ室を画成するトリガバルブ外枠部と、該トリガの動作及び該プッシュレバーの被打込材への当接に基づいて該トリガバルブ外枠部及び該トリガバルブ室を貫通して上下摺動し、該蓄圧室から該トリガバルブ室までの通路及び該トリガバルブ室から大気までの通路を択一的に連通、遮断するプランジャと、を備えた打込機において、該メインバルブ室容積を該メインバルブ制御通路の断面積で除した値が１．０以下であると共に該メインバルブ制御通路から該トリガバルブ内を通過して大気に連通する通路の断面積がメインバルブ制御通路の断面積以上であることを特徴とする打込機を提供する。
【００１７】
このような構成によると、少なくともメインバルブ室を備える打込機において、該メインバルブ室からの圧縮空気の排気が早くなる。また、該トリガバルブ制御通路を経て大気へと連通する通路においても、該トリガバルブ制御通路断面積以上の断面積を有することにより、この通路で排気が妨げられることがない。また、該メインバルブ室容積を該メインバルブ制御通路の断面積で除した値を０．８以下或いは０．６以下と小さくしていくと、排気をより早くすることができる。
【００１８】
また、該メインバルブ制御通路はその通路途中に屈曲部分を備え、該屈曲部分は円弧状、又は少なくとも２カ所以上の屈折部より構成されてもよい。更に該屈曲部分の屈曲角度は１００°以上であってもよい。
【００１９】
また、圧縮空気を蓄える蓄圧室を内部に画成するフレームと、該フレーム内に設けられる円筒状のシリンダと、該シリンダ内に往復摺動可能に設けられたピストンと、動作入力部であるトリガと、該ピストンの上面及び該シリンダの内面より画成されるピストン上室から該蓄圧室への通路及び大気への通路を択一的に形成するトリガバルブと、を備えた打込機であって、該トリガバルブは、該トリガバルブの外郭となるトリガバルブ外枠部と、該トリガバルブ外枠部内に往復摺動可能に設けられてその摺動方向の一面が該蓄圧室内に面し、該トリガバルブ外枠部に連接した該ピストン上室から該蓄圧室に連通する通路及び該ピストン上室から大気に連通する通路を択一的に連通、遮断するバルブピストンと、該トリガバルブ外枠部を貫通すると共に該バルブピストン内に貫入されたプランジャと、を有し、該プランジャが該トリガバルブ外枠部を貫通した貫通箇所の隙間箇所にはトリガバルブ制御通路が提供され、該バルブピストンの摺動方向の他面及び該トリガバルブ外枠部によりトリガバルブ室が画成され、該プランジャが該トリガバルブを貫通して、該トリガの動作に基づいて上下摺動し、該蓄圧室から該トリガバルブ室までの通路及び該トリガバルブ室から大気までの通路を択一的に連通、遮断する打込機において、該トリガバルブ室容積を該トリガバルブ制御通路の断面積で除した値が０．２０以下であることを特徴とする打込機を提供する。
【００２０】
このような構成によると、少なくともバルブピストンを備える打込機において、該トリガバルブ室からの圧縮空気の排気が早くなる。また、該トリガバルブ室容積を該トリガバルブ制御通路の断面積で除した値を０．１５以下或いは０．１０以下と小さくしていくと、排気をより早くすることができる。
【００２１】
また、圧縮空気を蓄える蓄圧室を内部に画成するフレームと、該フレーム内に設けられる円筒状のシリンダと、該シリンダ内に往復摺動可能に設けられたピストンと、該ピストンの上面及び該シリンダの内面より画成されるピストン上室から該蓄圧室への通路を連通、遮断するメインバルブと、該メインバルブを収容するメインバルブ室を画成するためのメインバルブ室画成部と、該蓄圧室から該メインバルブ室への通路及び該メインバルブ室から大気への通路を択一的に連通、遮断するトリガバルブと、該メインバルブ室より延出されてトリガバルブに連通するメインバルブ制御通路を画成するメインバルブ制御通路部と、を備えた打込機において、該メインバルブ室容積を該メインバルブ制御通路の断面積で除した値が１．０以下であることを特徴とする打込機を提供する。
【００２２】
このような構成によると、該メインバルブ室からの圧縮空気の排気が早くなる。また、該メインバルブ室容積を該メインバルブ制御通路の断面積で除した値を０．８以下或いは０．６以下と小さくしていくと、排気をより早くすることができる。
【発明の効果】
【００２３】
請求項１記載の打込機によれば、排気によってメインバルブ室が所定の圧力まで低下するのに要する時間は減少するので、トリガ及びプッシュレバーの動作に基づいてプランジャが押されてからメインバルブが最大変位まで移動する時間を短縮できる。よって、トリガ及びプッシュレバーを動作させてから、メインバルブが変位することに起因して発生する打込動作までの時間を短縮できる。
【００２４】
請求項２及び請求項３記載の打込機によれば、メインバルブ室の容積に対して排気に使われる通路の断面積が更に大きくなるので、上記の効果はより大きくなる。
【００２５】
請求項４記載の打込機によれば、排気によってトリガバルブ室が所定の圧力まで低下するのに要する時間は減少するので、プランジャが押されてからバルブピストンが最大変位まで移動する時間をより短縮できる。よって、トリガ及びプッシュレバーを動作させてから、トリガバルブが変位することに起因して発生する打込動作までの時間をより短縮できる。
【００２６】
請求項５及び請求項６記載の打込機によれば、トリガバルブ室の容積に対して排気に使われるトリガバルブ制御通路の断面積が更に大きくなるので、上記の効果はより大きくなる。
【００２７】
請求項７記載の打込機によれば、メインバルブ制御通路の流路抵抗が減少するので、メインバルブ室の空気の抜けが早くなるため、プランジャが押されてからメインバルブが最大変位まで移動する時間をより短縮できる。
【００２８】
請求項８記載の打込機によれば、メインバルブ制御通路の流路抵抗が更に減少するので、更にメインバルブ室の空気の抜けが早くなり、プランジャが押されてからメインバルブが最大変位に移動する時間を更に短縮できる。
【００２９】
請求項９記載の打込機によれば、少なくともメインバルブを備えた打込機において、排気によってメインバルブ室が所定の圧力まで低下するのに要する時間は減少するので、トリガ及びプッシュレバーの動作に基づいてプランジャが押されてからメインバルブが最大変位まで移動する時間を短縮できる。よって、トリガ及びプッシュレバーを動作させてから、メインバルブが変位することに起因して発生する打込動作までの時間を短縮できる。
【００３０】
請求項１０及び請求項１１記載の打込機によれば、メインバルブ室の容積に対して排気に使われる通路の断面積が更に大きくなるので、上記の効果はより大きくなる。
【００３１】
請求項１２記載の打込機によれば、メインバルブ制御通路の流路抵抗が減少するので、メインバルブ室の空気の抜けが早くなるため、上記の効果はより大きくなる。
【００３２】
請求項１３記載の打込機によれば、メインバルブ制御通路の流路抵抗が更に減少するので、更にメインバルブ室の空気の抜けが早くなり、上記の効果はより大きくなる。
【００３３】
請求項１４記載の打込機によれば、少なくともバルブピストンを備えた打込機において、トリガバルブ室の容積に対して排気に使われるトリガバルブ制御通路の断面積を大きくすることで、排気によってトリガバルブ室が所定の圧力まで低下するのに要する時間は減少するので、プランジャが押されてからバルブピストンが最大変位まで移動する時間をより短縮できる。よって、トリガ及びプッシュレバーを動作させてから、バルブピストンが変位することに起因して発生する打込動作までの時間をより短縮できる。
【００３４】
請求項１５及び請求項１６記載の打込機によれば、トリガバルブ室の容積に対して排気に使われるトリガバルブ制御通路の断面積が更に大きくなるので、上記の効果はより大きくなる。
【００３５】
請求項１７記載の打込機によれば、少なくともメインバルブを備えて打込機において、排気によってメインバルブ室が所定の圧力まで低下するのに要する時間は減少するので、トリガバルブの動作に基づいてメインバルブが最大変位まで移動する時間を短縮できる。よって、トリガバルブを動作させてから、メインバルブが変位することに起因して発生する打込動作までの時間を短縮できる。
【００３６】
請求項１８及び請求項１９記載の打込機によれば、メインバルブ室の容積に対して排気に使われる通路の断面積が更に大きくなるので、上記の効果はより大きくなる。
【発明を実施するための最良の形態】
【００３７】
打込機の第１の実施の形態について図１乃至図７を参照しながら説明する。図１に示す打込機１は、圧縮空気を動力源とした打込機であり、フレーム６０とフレーム６０の一方に位置するハンドル６０Ａとフレーム６０の下端に位置するノーズ４１とが一体に設けられている。そして図示しない圧縮機からの圧縮空気は、図示しないエアホースを介して打込機１のハンドル６０Ａ及びフレーム６０内に形成された蓄圧室２に蓄積される。フレーム６０内には円筒状のシリンダ３が設けられ、シリンダ３内には上下に摺動可能にピストン４ａが設けられ、ピストン４ａにはドライバブレード４ｂが一体に形成され、先端部４ｃによって留め具５を打ち込むようになっている。
【００３８】
シリンダ３下端外周にはドライバブレード４ｂを上死点に復帰させるための圧縮空気を貯める戻り室３３が設けられている。シリンダ３の軸方向中央部には逆止弁３４が備えられ、シリンダ３内からシリンダ３外の戻り空気室３３への一方向にのみ流通させる空気通路３５が形成され、またシリンダ３下方には、戻り空気室３３に常時開放されている空気通路３６が形成されている。
【００３９】
またシリンダ３下端には留め具５打ち込み後のドライバブレード４ｂの余剰エネルギーを吸収するためのピストンバンパ３７が設けられている。
【００４０】
ハンドル６０Ａの基部には操作部３８が設けられており、この操作部３８は、作業者によって操作されるトリガ３９、トリガ３９に回動可能に装着されたアームプレート４８、ノーズ４１の下端から突き出し、アームプレート４８近傍まで延び、フレーム６０反対側に付勢されてノーズ４１に沿って移動可能なプッシュレバー４２等から構成されている。またハンドル６０Ａの基部でトリガ３９に対向する箇所には後述のトリガバルブ部６が設けられている。
【００４１】
周知のごとく、トリガ３９の引き操作と、プッシュレバー４２との被打込材への押し当て操作の両方が行われた時にアームプレート４８とトリガ３９のリンク機構によって、図２に示すようにトリガバルブ部６のプランジャ７が押し上げられるように構成される。
【００４２】
ノーズ４１に関連して設けられる射出部４３には、留め具５を充填するマガジン４４と、マガジン４４に装填された留め具５を順次射出口４６に給送する給送機構４５とが設けられている。
【００４３】
図１及び図２に示すトリガバルブ部６は、外方バルブブッシュ１０及び内方バルブブッシュ１１と、バルブピストン９と、プランジャ７と、スプリング１２を主な構成要素とする。外方バルブブッシュ１０及び内方バルブブッシュ１１は、トリガバルブの外郭となるトリガバルブ外枠部としてフレーム６０に固定されている。バルブピストン９は、外方バルブブッシュ１０及び内方バルブブッシュ１１内に往復摺動可能に設けられている。プランジャ７は、バルブピストン９及び外方バルブブッシュ１０内貫通孔に往復摺動可能に設けられ、アームプレート４８に下端が当接する。スプリング１２は、バルブピストン９とプランジャ７との間に設けられてバルブピストン９を上方に付勢すると共にプランジャ７を下方に付勢する。
【００４４】
トリガバルブ部６は後述のメインバルブ室８より延出される円管であるメインバルブ制御通路４０に連通しており、具体的には、メインバルブ制御通路４０は外方バルブブッシュ１０と内方バルブブッシュ１１との間に連通し、トリガバルブ部６内に開放している。このメインバルブ制御通路４０はその断面積Ｓ１が３．２×１０−５（ｍ２）となるように成形されている。
【００４５】
また内方バルブブッシュ１１には、蓄圧室２とメインバルブ制御通路４０との連通を常時遮断するOリング１７が嵌着され、バルブブッシュ１１には、メインバルブ制御通路４０と大気を常時遮断するOリング２５が嵌着されている。
【００４６】
バルブピストン９はその摺動方向の一面が蓄圧室２に面し、バルブピストン９の内方バルブブッシュ１１及び外方バルブブッシュ１０に係る箇所は、その箇所の直径が内方バルブブッシュ１１及び外方バルブピストン９に穿設された孔径より小さく成形されており、この小さく成形された箇所にそれぞれの通路を遮断するOリング２１、Oリング２３が嵌着されている。
【００４７】
よって、バルブピストン９と内方バルブブッシュ１１との間にメインバルブ制御通路４０から蓄圧室２に連通する空気通路２０が形成され、バルブピストン９と外方バルブブッシュ１０との間にメインバルブ制御通路４０から大気に連通する空気通路２２が形成される。この空気通路２２の流れ方向に対する断面積はメインバルブ通路４０の断面積より大きく形成されている。よって空気通路２２の流路抵抗はメインバルブ通路４０の流路抵抗より小さくなる。これら空気通路２０、空気通路２２はバルブピストン９が上下摺動することにより択一的に連通、遮断される。
【００４８】
バルブピストン９の下方には、バルブピストン９の摺動方向の他面と外方バルブブッシュ１０とにより、トリガバルブ室１３が画成される。このトリガバルブ室１３はバルブピストン９が移動可能に収容されるため容積が変動するが、その容積の最大値、即ちバルブピストン９が上死点にある時の値Ｖ２は４．０×１０−７（ｍ３）となるように成形されている。またバルブピストン９のトリガバルブ室１３に係る箇所にはトリガバルブ室１３と空気通路２２との連通を常時遮断するOリング２４が嵌着されている。
【００４９】
プランジャ７はトリガバルブ室１３内を貫通しており、上端側が蓄圧室２に面している。プランジャ７のバルブピストン９及び外方バルブブッシュ１０に係る箇所は、その箇所のプランジャ７の直径がバルブピストン９及びバルブブッシュ１０に穿設された孔径より小さく成形されており、この小さく成形された箇所にそれぞれの通路を遮断するOリング１５、Oリング１８が嵌着されている。
よってプランジャ７とバルブピストン９との間には蓄圧室２からトリガバルブ室１３に連通する空気通路１４を形成し、プランジャ７と外方バルブブッシュ１０との間にはトリガバルブ室１３から大気に連通するトリガバルブ制御通路１６を形成する。これら空気通路１４及びトリガバルブ制御通路１６はプランジャ７が摺動することにより、択一的に連通、遮断される。
【００５０】
この外方バルブブッシュ１０とプランジャ７との間に形成されるトリガバルブ制御通路１６の断面積Ｓ２は１．９８×１０−６（ｍ２）となるように形成されている。よってトリガバルブ室１３の容積をトリガバルブ制御通路１６の断面積で除した値はＶ２／Ｓ２＝０．２となる。
【００５１】
トリガバルブ部６の構成において、バルブピストン９が上死点側に位置している時には、空気通路２０が開通して蓄圧室２とメインバルブ制御通路４０とが連通すると共に、空気通路２２が閉鎖してメインバルブ制御通路４０と大気とがOリング２３で遮断される。またバルブピストン９が下死点側に位置している時には、空気通路２０が閉鎖してメインバルブ制御通路４０と蓄圧室２とがOリング２１で遮断すると共に、空気通路２２が開通してメインバルブ制御通路４０と大気とが連通される。
【００５２】
プランジャ７が上死点側に位置している時には、トリガバルブ制御通路１６が開通してトリガバルブ室１３と大気とが連通すると共に、空気通路１４が閉鎖して蓄圧室２とトリガバルブ室１３とがOリング１５で遮断される。またプランジャ７が下死点側に位置している時には、トリガバルブ制御通路１６が閉鎖してトリガバルブ室１３と大気とがOリング１８で遮断されると共に、空気通路１４が開通して蓄圧室２とトリガバルブ室１３とが連通する。
【００５３】
図１及び図３に示すシリンダ３の上側外周にはメインバルブ部２６が設けられる。メインバルブ部２６は、メインバルブ１９、シリンダ３の上方に嵌着されたメインバルブラバー２７、メインバルブ１９を下死点側に付勢するメインバルブスプリング２８、シリンダ３の上方に設置され、シリンダ３のピストン４ａ上室の圧縮空気を排気するための空気通路２９をメインバルブ１９との当接によって遮断するエキゾーストラバー３０等から構成されている。また空気通路２９はフレーム６０上部に設けた排気穴４９を経て大気と連通している。
【００５４】
メインバルブ１９はフレーム６０の一部より形成されるメインバルブ画成部６１内に収容可能に設けられており、この収容箇所がメインバルブ室８となって、メインバルブ制御通路４０に連通する。
【００５５】
また、メインバルブ室８は、メインバルブ１９の上方および中央付近に嵌着されメインバルブ室８と空気通路２９との連通を常時遮断するOリング３１、メインバルブ室８と蓄圧室２との連通を常時遮断するOリング３２により、気密性を保っている。このメインバルブ室８はメインバルブ１９が上下動することによりその容積Ｖ１が変動するが、その容積の最大値が２．５６×１０−５（ｍ３）となるように成形されている。従って、メインバルブ室８の容積をメインバルブ制御通路４０の断面積で除した値はＶ１／Ｓ１＝０．８≦１．０となる。また、メインバルブ制御通路４０の屈曲部分は、図３において丸５１で囲まれる箇所に示されるように、その屈曲の前後間が緩やかな円弧状に形成されている。
【００５６】
メインバルブ１９が上死点側に位置している時は、メインバルブ１９がエキゾーストラバー３０と接触して空気通路２９を閉鎖しシリンダ３内のピストン４ａ上室と大気とが遮断されると共に、シリンダ３内のピストン４ａ上室と蓄圧室２とが連通する。またメインバルブ１９が下死点側に位置している時は、メインバルブ１９がメインバルブラバー２７と接触してシリンダ３内のピストン４ａ上室と蓄圧室２とを遮断されると共に、メインバルブ１９はエキゾーストラバー３０から離間して空気通路２９を開通させ、シリンダ３内のピストン４ａ上室と大気とを連通させる。
【００５７】
上記構成の打込機１による打ち込み動作について説明する。打込機１に図示していないエアホースをつないで圧縮空気を貯溜した状態を図１乃至図３に示す。圧縮空気は、蓄圧室２に蓄積される。この時に、図２に示すようにプランジャ７の上部端面には蓄圧室２内の圧力が作用しているため、スプリング１２の付勢力と相俟って、プランジャ７は下死点に位置している。プランジャ７が下死点に位置していることにより空気通路１４が開通しており、蓄圧室２とトリガバルブ室１３とが連通している。同時にトリガバルブ制御通路１６がOリング１８で閉鎖されているため、トリガバルブ室１３と大気との連通は遮断されており、蓄圧室２内の圧縮空気の一部は空気通路１４を介してトリガバルブ室１３内に流入し蓄圧室２と同圧の空気が蓄積されている。
【００５８】
このときスプリング１２の押圧力及び受圧面積差によりバルブピストン９は上死点に位置している。バルブピストン９が上死点に位置していることにより、空気通路２０が開通して蓄圧室２とメインバルブ制御通路４０とが連通している。同時に空気通路２２が閉鎖されているため、メインバルブ制御通路４０と大気との連通はOリング２３で遮断されており、蓄圧室２内の圧縮空気の一部はメインバルブ制御通路４０に流入し、メインバルブ室８に蓄圧室２と同圧の空気が蓄積される。
【００５９】
蓄圧室２内の圧縮空気の一部がメインバルブ室８内に流入しているため、図３に示すようにメインバルブ１９の下方外周面５２およびメインバルブ１９上側端面５４の受圧面積差により発生する下方向への押し荷重と、メインバルブスプリング２８の付勢力によって、メインバルブ１９は下死点に位置している。
【００６０】
メインバルブ１９が下死点に位置していることにより、メインバルブ１９がメインバルブラバー２７と接触し、エキゾーストラバー３０と離間して空気通路２９が開通する。よってシリンダ３内のピストン４ａ上室と大気とが連通されてピストン４ａ上室が大気圧となっている。また、シリンダ３内のピストン４ａ上室と蓄圧室２との連通は遮断されているため、ピストン４ａ上室に蓄圧室２よりの空気が流入することはない。よってピストン４ａは上死点側で停止した状態にある。
【００６１】
トリガ３９の引き操作およびプッシュレバー４２の被打込材への押し当て操作の両方を行い、プランジャ７を上死点に押し上げた瞬間の状態を図４に示す。プランジャ７が上死点側に位置することによりOリング１８のシールが無効となり、トリガバルブ制御通路１６が開通する。これによりトリガバルブ室１３と大気とが連通するため、トリガバルブ室１３内は大気圧となる。また空気通路１４が閉鎖して蓄圧室２とトリガバルブ室１３との連通をOリング１５で遮断するため、蓄圧室２からトリガバルブ室１３内への空気の流入が停止する。
【００６２】
トリガバルブ室１３内が大気圧となるため、バルブピストン９の蓄圧室２側が受ける圧力とトリガバルブ室１３内側が受ける圧力に差が生じ、図５に示すようにバルブピストン９は下死点に移動する。
【００６３】
ここで、第１の実施の形態に係る第１の特徴について説明する。上述したようにトリガバルブ室１３容積Ｖ２をトリガバルブ制御通路１６断面積Ｓ２で除した値：Ｖ２／Ｓ２＝０．２としている。この値は従来の打込機よりも小さく設定してある。これは、管路の流れにおいては質量流量と管路断面積とが比例の関係にある、という原理に着目したことから得た設計思想である。すなわち、バルブ室を有する打込機においては、該バルブ室の容積に対して排気に使われる通路の断面積を大きくすることで、排気によって該バルブ室内圧が所定の圧力まで低下するのに要する時間は減少するということを見出したことに基づいている。
【００６４】
トリガバルブ室１３内圧力が低下し始めてからバルブピストン９が最大変位まで移動する時間：Ｔ２とＶ２／Ｓ２との関係について図６に示す。Ｖ２／Ｓ２を小さくするほどＴ２も小さくなっている。該第１の実施の形態の値：Ｖ２／Ｓ２＝０．２の場合には、Ｔ２が約０．７５ｍｓとなる。Ｖ２／Ｓ２＝０．１５とするとＴ２は更に小さくすることができ、Ｖ２／Ｓ２＝０．１０とするとそれよりも更に小さくすることができる。
【００６５】
よって、トリガバルブ室１３容積Ｖ２とトリガバルブ制御通路１６の断面積Ｓ２を上記値とすることにより、トリガバルブ室１３内の圧縮空気の抜けが早くなり、トリガバルブ室１３が大気圧になるまでの時間が短縮される。またバルブピストン９が下死点に下がる際にも空気の抜けがよくなるため、トリガバルブ室１３内の圧力がバルブピストン９の下降を妨げる、いわゆるエアダンパを形成し難く、バルブピストン９は即時に上死点から下死点へと移動することができる。尚、バルブピストン９はスプリング１２により上死点側に付勢されているが、このスプリング１２のバネ力は予めこの圧力差により生じる力より弱く設定されているため、バルブピストン９の動作に影響を与えることはない。
【００６６】
図５に示されるように、バルブピストン９が下死点に位置することにより、空気通路２０が閉鎖してメインバルブ制御通路４０と蓄圧室２との連通がOリング２１で遮断され、蓄圧室２からメインバルブ制御通路４０への空気の流入が停止する。またOリング２３のシールが無効となり、空気通路２２が開通してメインバルブ制御通路４０と大気とが連通される。これによりメインバルブ制御通路４０内が大気圧となり、メインバルブ制御通路４０に連なるメインバルブ室８内も大気圧になる。
【００６７】
メインバルブ室８内が略大気圧になると、メインバルブ１９の下方外周面５２及びメインバルブ１９上側端面５４の圧力差により発生する上方向への圧力によって、図７に示すようにメインバルブ１９が上死点側に移動する。メインバルブ１９が上死点側に移動し始めると、蓄圧室２とシリンダ３内のピストン４ａ上室が連通するため、下方外周面５２に加え、メインバルブ１９の下方端面５３にかかる受圧力によって、メインバルブ１９は急激に上死点側に移動し、エキゾーストラバー３０に当接し、蓄圧室２およびピストン４ａ上室と大気との連通とが遮断される。
【００６８】
ここで上述したようにメインバルブ室８容積Ｖ１をメインバルブ制御通路４０断面積Ｓ１で除した値Ｖ１／Ｓ１＝０．８としている。この値は従来の打込機の値よりも小さく設定してある。これも前述の設計思想と同様に、バルブ室を有する打込機においては、該バルブ室の容積に対して排気に使われる通路の断面積を大きくすることで、排気によって該バルブ室内圧が所定の圧力まで低下するのに要する時間は減少するという設計思想による。
【００６９】
メインバルブ室８内圧力が低下し始めてからメインバルブ１９が最大変位点まで移動する時間：Ｔ１とＶ１／Ｓ１との関係について調べた結果を図８に示す。Ｖ１／Ｓ１を小さくするほどＴ１も小さくなっている。該第１の実施の形態の値：Ｖ１／Ｓ１＝０．８の場合には、Ｔ１が約７．０ｍｓとなる。また、Ｖ１／Ｓ１＝１．０としてもＴ１は約７．５ｍｓとなり従来に比べて十分に小さくすることができる。また、Ｖ１／Ｓ１＝０．６とすることにより、Ｔ１は約５．０ｍｓと更に小さくすることができる。
【００７０】
また、該第１の実施の形態ではメインバルブ制御通路４０に流路抵抗となる屈曲部分が存在するが、これを緩やかな円弧状の通路とすることにより流路抵抗の増加を抑制でき、メインバルブ制御通路４０内を流れる空気の流れを妨げることはない。また、メインバルブ室８内の空気はメインバルブ制御通路４０からトリガバルブ部６の空気通路２２を通って大気に排出されるが、この時に空気通路２２はその空気流路に対する断面積がメインバルブ制御通路４０の断面積より大きく形成されているため、空気通路２２がメインバルブ室８から大気に排出される空気の流れを妨げることはない。
【００７１】
よって、メインバルブ室８容積とメインバルブ制御通路４０の断面積を上記値とすることにより、メインバルブ室８内に蓄積された圧縮空気の抜けが早くなり、メインバルブ室８が大気圧になるまでの時間が短縮される。更にメインバルブ制御通路４０の形状及び空気通路２２の空気の抜けを良好にすることによりメインバルブ１９が上死点に上昇する際にも空気の抜けがよくなり、メインバルブ室８内にいわゆるエアダンパを形成し難く、メインバルブ１９は即時に下死点から上死点へと移動することができる。
【００７２】
メインバルブ１９が下死点から上死点へと移動することにより蓄圧室２からのピストン４ａ上室に圧縮空気が流入し、ピストン４ａは急激に下死点側に移動しながら、ピストン４ａに連接されている先端部４ｃにより留め具５を打ち込む。シリンダ３内のピストン４ａ下側の空気は、空気通路３６を介して戻り空気室３３に流入し、ピストン４ａが空気通路３５を通過すると、ピストン４ａ上室の圧縮空気の一部が空気通路３５を介して戻り空気室３３に流入する。
【００７３】
トリガ３９を戻すかプッシュレバー４２の被打込材への押し当て操作をやめて、プランジャ７を下死点に戻した瞬間の状態を図９に示す。プランジャ７は上端部に作用する蓄圧室２の圧力とスプリング１２の押圧力によって下死点側に移動する。
【００７４】
プランジャ７が下死点に移動することにより、Oリング１８によってトリガバルブ制御通路１６が遮断され、Oリング１５のシールが無効になって空気通路１４を介して蓄圧室２の圧縮空気がトリガバルブ室１３に流入する。
【００７５】
トリガバルブ室１３に圧縮空気が流入すると、バルブピストン９の上部端面の面積および下方端面の面積の差により発生する押圧力と、スプリング１２の付勢力とによって、バルブピストン９は上死点側に移動する。
【００７６】
Oリング２３によって空気通路２２が大気と遮断され、空気通路２０を介して蓄圧室２とメインバルブ室８が連通し、メインバルブ室８内に圧縮空気が流入する。メインバルブ室８内に圧縮空気が流入すると、メインバルブ１９の下方外周面５２とメインバルブ１９の下方端面５３、およびメインバルブ１９上側端面５４の受圧面積差により発生する下方向へ押圧力が発生する。該押圧力とメインバルブスプリング２８の付勢力とにより、メインバルブ１９が下死点側に移動する。
【００７７】
メインバルブ１９が下死点に移動してメインバルブラバー２７に接触することにより蓄圧室２とピストン４ａ上室との連通が遮断され、エキゾーストラバー３０と離間することによりピストン４ａ上室と大気とが連通する。戻り空気室３３に蓄積された圧縮空気によってピストン４ａ下側が押圧され、ピストン４ａは急激に上死点側に移動する。ピストン４ａ上室の空気は、空気通路２９を介して排気穴４９から大気に放出され、打込機１は図１に示す初期状態に戻る。
【００７８】
以上の動作を時系列的に説明する。図１０に示すグラフには第１の実施の形態に係る打込機１の特性を示しており、図１１に示すグラフには比較例として従来の打込機の特性を示している。これらグラフは時間をｘ軸として、圧力変化、メインバルブ変位量、バルブピストン変位量、ピストン変位量をそれぞれｙ軸としている。ここでｘ軸の原点（０ｍｓ）はプランジャ７を押し上げてトリガバルブ室１３内の圧力が低下し始めた時とする。従来例に係る打込機の諸寸法は、メインバルブ室容積の最大値Ｖ１’＝２．５６×１０−５（ｍ３）、メインバルブ制御通路の断面積Ｓ１’＝０．８×１０−５（ｍ２）、Ｖ１’／Ｓ１’＝３．２であり、トリガバルブ室容積の最大値Ｖ２’＝４．０×１０−７（ｍ３）、トリガバルブ制御通路の断面積Ｓ２’＝０．４６５×１０−６（ｍ２）であり、Ｖ２’／Ｓ２’＝０．８６である。第１の実施の形態に係る打込機の諸寸法は上述した値、メインバルブ室８容積の最大値Ｖ１＝２．５６×１０−５（ｍ３）、メインバルブ制御通路４０の断面積Ｓ１＝３．２×１０−５（ｍ２）、Ｖ１／Ｓ１＝０．８であり、トリガバルブ室１３容積の最大値Ｖ２＝４．０×１０−７（ｍ３）、トリガバルブ制御通路１６の断面積Ｓ２＝１．９８×１０−６（ｍ２）、Ｖ２／Ｓ２＝０．２である。
【００７９】
プランジャ７を押すことにより、トリガバルブ室１３内圧力が低下し、この圧力変化に連動してバルブピストン９が上死点位置より変位し始める。この時にトリガバルブ室１３容積をトリガバルブ制御通路１６断面積で除した値が、従来例の値：Ｖ２’／Ｓ２’＝０．８６に対して第１の実施の形態の値：Ｖ２／Ｓ２＝０．２と小さくしているため、トリガバルブ室１３内の圧縮空気がトリガバルブ制御通路１６より瞬時に大気中に排出される。これにより従来トリガバルブ室内圧力が大気圧（０Ｐａ）まで低下するのに１１．３ｍｓかかっていたのに対し、第１の実施の形態では３．０ｍｓ後には大気圧まで低下させることが可能となる。また従来バルブピストン９が下死点位置に到達するのに０．８５ｍｓかかっていたのが、第１の実施の形態では０．７４ｍｓ後には下死点位置に到達している。
【００８０】
バルブピストン９が変位し始めることにより、Oリング２３によるシールが無効となり空気通路２２がメインバルブ制御通路４０と連通し、メインバルブ室８の圧力が下がり始める。この時にメインバルブ室８容積Ｖ１をメインバルブ制御通路４０断面積Ｓ１で除した値が、従来例の値：Ｖ１’／Ｓ１’＝３．２に対して第１の実施の形態の値：Ｖ１／Ｓ１＝０．８と小さくしているため、メインバルブ室８内の圧縮空気がメインバルブ制御通路４０及び空気通路２２から瞬時に排出される。これにより従来メインバルブ室圧力が極値まで低下してメインバルブが下死点より変位し始めるのに２２．４ｍｓかかっていたのに対し、第１の実施の形態では６．１ｍｓ後にはメインバルブ室８内圧力が極値まで低下し、メインバルブ１９が下死点より変位し始める。この時にメインバルブ１９の変位により一時的にメインバルブ室８の圧力が上昇するが、メインバルブ制御通路４０の断面積に対し空気通路２２の断面積を小さくしているため、メインバルブ室８に過度に背圧が生じることはない。そして、第１の実施の形態にかかるメインバルブ１９は７．１ｍｓ後に上死点まで移動する。
【００８１】
メインバルブ１９が上死点に移動することにより、ピストン４ａ上室に蓄圧室２から圧縮空気が流入してピストン４ａ上室が高圧となり、ピストン４ａの上室と下室との圧力差により、ピストン４ａが下降して下死点に到達し、留め具５を打ち込む。これにより、作業者がトリガ３９を引いてから留め具５が打ち込まれるまでの工程が終了するが、従来例では２７．１ｍｓかかっていたのに対し、第１の実施の形態では１１．３ｍｓ後には留め具５が打ち込まれるまでの工程が終了しており、明らかに打ち込みのレスポンスは向上している。
【００８２】
打ち込みの後にプランジャ７を元の位置に戻し、トリガバルブ制御通路１６が閉鎖されトリガバルブ室１３内に蓄圧室２より圧縮空気が流入してバルブピストン９が上死点に移動し、バルブピストン９が上死点に移動することにより、空気通路２２が閉鎖されると共に空気通路２０のシールが無効になって蓄圧室２より圧縮空気がメインバルブ室８に流入してメインバルブ１９を下死点に移動する。メインバルブ１９が下死点に移動することにより、蓄圧室２とピストン４ａ上室との連通が遮断され、かつピストン４ａ上室と大気とが連通するためにピストン４ａ上室の圧力が低下して、戻り室３３内に蓄えられた圧縮空気の圧力により、ピストン４ａは上昇し、初期の状態（図１０の０ｍｓの状態）に戻る。
【００８３】
また、様々な打込機を使用して実験し、レスポンスがどれくらい向上すると十分な効果が認められるかを調べた結果、トリガの引き操作およびプッシュレバーの被打込材への押し当て操作後、１２ｍｓ以内に打ち込みが終了すると非常にレスポンスが良いと感じ、作業しやすく、また留め具を連続的に打ちやすくなることが確認されている。そしてその時間が長くなるにつれてだんだんとレスポンスが悪くなっていき、従来例の２７．１ｍｓ辺りでは作業し難く、また連続的に多数の留め具を打つことが難しくなっていくことが確認されていることからも、第１の実施の形態にかかる打込機１によりレスポンスが向上し、作業性能も改善されている。
【００８４】
第１の実施の形態では、図３に示されるように、メインバルブ制御通路４０の丸５１で囲まれる屈曲部分をその屈曲の前後間が緩やかな円弧状に形状化している。これ以外にも、例えば図１２に示すように、少なくとも２カ所以上の屈折部より形状化されてもよい。この時に屈折部の角度は１００°以上が望ましい。これにより、メインバルブ制御通路４０内に過度の流路抵抗を形成することなく、メインバルブ室８内の空気を排出することが可能になる。
【００８５】
次に第２の実施の形態による打込機について図１３乃至図１６に基づいて説明する。図１３に示す打込機１０１の概略構成は、第１の実施の形態に係る打込機１からバルブピストン９を除いた構成である。よって細部の説明は省略する。打込機１０１は、圧縮空気を動力源とした打込機であり、フレーム１６０とフレーム１６０の一方に位置するハンドル１６０Ａとフレーム１６０の下端に位置するノーズ１４１とが一体に設けられ、圧縮空気が図示しないエアホースを介して打込機１０１のハンドル１６０Ａ及びフレーム１６０内に形成された蓄圧室１０２に蓄積される。フレーム１６０内には円筒状のシリンダ１０３が設けられ、シリンダ１０３内には上下に摺動可能にピストン１０４ａが設けられ、ピストン１０４ａにはドライバブレード１０４ｂが一体に形成され、先端部１０４ｃによって留め具を打ち込むようになっている。
【００８６】
シリンダ１０３下端外周にはドライバブレード１０４ｂを上死点に復帰させるための圧縮空気を貯める戻り室１３３が設けられている。シリンダ１０３の軸方向中央部には逆止弁１３４が備えられ、シリンダ１０３内からシリンダ１０３外の戻り空気室１３３への一方向にのみ流通させる空気通路１３５が形成され、またシリンダ１０３下方には、戻り空気室１３３に常時開放されている空気通路１３６が形成されている。
【００８７】
またシリンダ１０３下端には留め具打ち込み後のドライバブレード１０４ｂの余剰エネルギーを吸収するためのピストンバンパ１３７が設けられている。
【００８８】
ハンドル１６０Ａの基部には、作業者によって操作されるトリガ１３９が設けられており、またハンドル１６０Ａの基部でトリガ１３９に対向する箇所には後述のトリガバルブ部１０６が設けられている。
【００８９】
周知のごとく、トリガ１３９の引き操作と、プッシュレバー１４２との被打込材への押し当て操作の両方が行われた時に、トリガバルブ部１０６のプランジャ１０７が押し上げられる。
【００９０】
図１３及び図１４に示すトリガバルブ部１０６は、バルブブッシュ１１０と、プランジャ１０７と、スプリング１１２を主な構成要素とする。バルブブッシュ１１０は、トリガバルブの外郭となるトリガバルブ外枠部としてフレーム１６０に固定されている。プランジャ１０７は、バルブブッシュ１１０内貫通孔に往復摺動可能に設けられて下端がトリガ１３９に当接する。スプリング１１２は、フレーム１６０とプランジャ１０７との間に設けられてプランジャ１０７を下方に付勢する。
【００９１】
トリガバルブ部１０６は後述のメインバルブ室１０８より延出され、円管にて構成されるメインバルブ制御通路１４０に連通している。このメインバルブ制御通路１４０はその断面積Ｓ１が３．２×１０−５（ｍ２）となるように成形されている。
【００９２】
またバルブブッシュ１１０には、メインバルブ制御通路１４０と大気を常時遮断するOリング１２５が嵌着されている。そしてフレーム１６０及びこれに固定されるバルブブッシュ１１０の内部の空間に、トリガバルブ室１１３が画成される。
【００９３】
プランジャ１０７はトリガバルブ室１１３内を貫通しており、上端側がフレーム１６０に形成された孔である空気通路１２０内に貫通可能となっている。この空気通路１２０内のフレーム１６０にはプランジャ１０７との協働により空気通路１２０を閉鎖するOリング１１５が嵌着されている。プランジャ１０７のバルブブッシュ１１０に係る箇所は、その箇所のプランジャ１０７の直径がバルブブッシュ１０に穿設された孔径より小さく成形されており、この隙間から空気通路１１６が構成される。この空気通路１１６は、プランジャ１０７が摺動する方向に対する断面積が少なくとも３．２×１０−５（ｍ２）以上になるように形成されている。また、空気通路１１６内のバルブブッシュ１１０には空気通路１１６を閉鎖するOリング１１８が嵌着されている。これら空気通路１２０、空気通路１１６はプランジャ１０７が摺動することにより、択一的に連通、遮断される。
【００９４】
図１３に示すシリンダ１０３の上側外周にはメインバルブ部１２６が設けられる。メインバルブ部１２６は、メインバルブ１１９、メインバルブ１１９を下死点側に付勢するメインバルブスプリング１２８等から構成されている。またこのメインバルブ１１９の上方には空気通路１２９が形成され、フレーム１６０上部に設けた排気穴１４９を経て大気と連通している。
【００９５】
メインバルブ１１９はフレーム１６０の一部より形成されるメインバルブ画成部１６１内に収容可能に設けられており、この収容箇所がメインバルブ室１０８となって、メインバルブ制御通路１４０に連通する。
【００９６】
また、メインバルブ室１０８は、図示しないOリング等により、気密性が保たれる。メインバルブ室１０８はメインバルブ１１９が上下動することによりその容積Ｖ１が変動するが、その容積の最大値が２．５６×１０−５（ｍ３）となるように成形されている。従って、メインバルブ室１０８の容積をメインバルブ制御通路１４０の断面積で除した値はＶ１／Ｓ１＝０．８≦１．０となる。また、メインバルブ制御通路１４０の屈曲部分は、その屈曲の前後間が緩やかな円弧状に形状化されている。
【００９７】
上記構成の打込機１０１による打ち込み動作について説明する。打込機１０１に図示していないエアホースをつないで圧縮空気を蓄圧室１０２に貯溜した状態を図１３乃至図１４に示す。この時に、図１４に示すようにプランジャ１０７はスプリング１１２の付勢力により下死点に位置している。プランジャ１０７が下死点に位置していることにより、空気通路１２０が開通して、蓄圧室１０２とトリガバルブ室１１３とが連通している。同時に空気通路１１６がOリング１１８で閉鎖されているため、トリガバルブ室１１３と大気との連通は遮断される。
【００９８】
また、図１４に示すように、トリガバルブ室１１３はメインバルブ制御通路１４０と連通しているため蓄圧室１０２内の圧縮空気の一部はメインバルブ制御通路１４０に流入し、メインバルブ室１０８に蓄圧室１０２と同圧の空気が蓄積される。
【００９９】
蓄圧室１０２内の圧縮空気がメインバルブ室１０８内に流入しているため、図１３に示すようにメインバルブ１１９の下方外周面１４７およびメインバルブ１１９上方端面１４３の受圧面積差により発生する下方向への押し荷重と、メインバルブスプリング１２８の付勢力によって、メインバルブ１１９は下死点に位置している。
【０１００】
メインバルブ１１９が下死点に位置していることにより、メインバルブ１１９がシリンダ１０３の上端面と接触し、フレーム１６０と離間して空気通路１２９を開通させるため、シリンダ１０３内のピストン１０４ａ上室と大気とが連通されてピストン１０４ａ上室が大気圧となっている。また、シリンダ１０３内のピストン１０４ａ上室と蓄圧室１０２との連通は遮断されているため、ピストン１０４ａ上室に蓄圧室１０２よりの空気が流入することはない。よってピストン１０４ａは上死点側で停止した状態にある。
【０１０１】
トリガ１３９の引き操作およびプッシュレバー１４２の被打込材への押し当て操作の両方を行い、プランジャ１０７を上死点に押し上げた瞬間の状態を図１５、図１６に示す。プランジャ１０７の上端側が空気通路１２０内のOリング１１５内に貫入されるため、トリガバルブ室は、蓄圧室１０２から遮断される。また、プランジャ１０７が上死点側に位置することによりOリング１１８のシールが無効となり、空気通路１１６が開通する。これによりトリガバルブ室１１３と大気とが連通する。この空気通路１１６の流れ方向に対する断面積はメインバルブ通路１４０の断面積より大きく形成されている。よって空気通路１１６内の流路抵抗はメインバルブ通路１４０内の流路抵抗より小さくなる。トリガバルブ室１１３と連通しているメインバルブ制御通路１４０も大気と連通され、更にメインバルブ制御通路１４０に連なるメインバルブ室１０８内も大気と連通されて大気圧になる。
【０１０２】
メインバルブ室１０８内が略大気圧になると、メインバルブ１１９の下方外周面１４７及びメインバルブ１１９の上方端面１４３の受圧面積差により発生する上方向への圧力によって、図１６に示すようにメインバルブ１１９が上死点側に移動する。メインバルブ１１９が上死点側に移動し始めると、蓄圧室１０２とシリンダ１０３内のピストン１０４a上室が連通するため、下方外周面１４７に加え、メインバルブ１１９の下方端面１４８にかかる受圧力によって、メインバルブ１１９は急激に上死点側に移動し、メインバルブ１１９の上端がフレーム１６０に当接し、排気穴１４９が閉鎖されて蓄圧室１０２およびピストン１０４a上室と大気との連通とが遮断される。
【０１０３】
ここで第２の実施の形態に係る特徴について説明する。上述したようにメインバルブ室１０８容積Ｖ１をメインバルブ制御通路１４０の断面積Ｓ１で除した値Ｖ１／Ｓ１＝０．８としている。これも第１の実施の形態で述べた設計思想と同様に、バルブ室を有する打込機においては、該バルブ室の容積に対して排気に使われる通路の断面積を大きくすることで、排気によって該バルブ室内圧が所定の圧力まで低下するのに要する時間は減少するという設計思想による。
【０１０４】
メインバルブ室１０８内圧力が低下し始めてからメインバルブ１１９が最大変位点まで移動する時間：Ｔ１とＶ１／Ｓ１との関係は、概ね図８に示した通りとなる。該第２の実施の形態の値：Ｖ１／Ｓ１＝０．８の場合には、Ｔ１が約７．０ｍｓとなる。また、Ｖ１／Ｓ１＝１．０としてもＴ１は約７．５ｍｓとなり従来に比べて十分に小さくすることができる。また、Ｖ１／Ｓ１＝０．６とすることにより、Ｔ１は約５．０ｍｓと更に小さくすることができる。これらＴ１の値は、従来の打込機の値よりも十分に小さい値である。
【０１０５】
また、メインバルブ室１０８内の空気はメインバルブ制御通路１４０からトリガバルブ部１０６の空気通路１２０を通って大気に排出されるが、この時に空気通路１２０はその空気流路に対する断面積がメインバルブ制御通路１４０の断面積より大きく形成されているため、メインバルブ１１９の上死点への移動を妨げることはない。
【０１０６】
よって、メインバルブ室１０８の容積とメインバルブ制御通路１４０の断面積とを上記値とすることにより、メインバルブ室１０８内に蓄積された圧縮空気の抜けが早くなり、メインバルブ室１０８が大気圧になるまでの時間が短縮される。更にメインバルブ制御通路１４０の形状及び空気通路１２０の空気の抜けを良好にすることによりメインバルブ１１９が上死点に上昇する際にも空気の抜けがよくなり、メインバルブ室１０８内にいわゆるエアダンパを形成し難く、メインバルブ１１９は即時に下死点から上死点へと移動することができる。
【０１０７】
メインバルブ１１９が下死点から上死点へと移動することにより蓄圧室１０２からピストン１０４ａ上室に圧縮空気が流入し、ピストン１０４ａは急激に下死点側に移動しながら、ピストン１０４ａに連接されている先端部１０４ｃにより留め具を打ち込む。シリンダ１０３内のピストン１０４ａ下側の空気は、空気通路１３６を介して戻り空気室１３３に流入し、ピストン１０４ａが空気通路１３５を通過すると、ピストン４ａ上室の圧縮空気の一部が空気通路１３５を介して戻り空気室１３３に流入する。
【０１０８】
トリガ１３９を戻すかプッシュレバー１４２の被打込材への押し当て操作をやめると、プランジャ１０７の上端にかかる蓄圧室１０２の圧力、及びスプリング１１２の付勢力によりプランジャ１０７が下死点に移動する。
【０１０９】
プランジャ１０７が下死点に移動することにより、Oリング１１８を介して空気通路１１６が閉鎖され、Oリング１１５のシールが無効になって空気通路１２０を介して蓄圧室１０２の圧縮空気がトリガバルブ室１１３に流入する。
【０１１０】
トリガバルブ室１１３に圧縮空気が流入するとメインバルブ制御通路１４０を介して蓄圧室１０２とメインバルブ室１０８が連通し、メインバルブ室１０８内に圧縮空気が流入する。
【０１１１】
メインバルブ室１０８内に圧縮空気が流入すると、メインバルブ１１９の下方外周面１４７とメインバルブ１１９の下方端面１４８、およびメインバルブ１１９の上方端面１４３の受圧面積差により発生する下方向へ押圧力が発生する。該押圧力とメインバルブスプスプリング１２８の付勢力とにより、メインバルブ１１９が下死点側に移動する。
【０１１２】
メインバルブ１１９が下死点に移動してシリンダ１０３の上端面に接触することにより蓄圧室１０２とピストン１０４ａ上室との連通が遮断され、メインバルブ１１９の上端とフレーム１６０とが離間することによりピストン１０４ａ上室と大気とが連通する。戻り空気室１３３に蓄積された圧縮空気によってピストン１０４ａ下側が押圧され、ピストン１０４ａは急激に上死点側に移動する。ピストン１０４ａ上室の空気は、空気通路１２９を介して排気穴１４９から大気に放出され、打込機１０１は図１３に示す初期状態に戻る。
【０１１３】
第２の実施の形態においても第１の実施の形態と同様に、メインバルブ制御通路１４０屈曲部分をその屈曲の前後間が緩やかな円弧状に形状化されているが、この屈曲部分が少なくとも２カ所以上の屈折部から形状化されてもよい。この時に屈折部の角度は１００°以上が望ましい。これにより、メインバルブ制御通路１４０内に過度の流路抵抗を形成することなく、メインバルブ室１０８内の空気を排出することが可能になる。
【０１１４】
次に第３の実施の形態について図１７乃至図１９に基づいて説明する。図１７に示す打込機２０１の概略構成は、第１の実施の形態にかかる打込機１からメインバルブ部２６を除いた構成であり、細部の説明は省略する。打込機２０１は、圧縮空気を動力源とした打込機であり、フレーム２６０とフレーム２６０の一方に位置するハンドル２６０Ａとフレーム２６０の下端に位置するノーズ２４１とが一体に設けられ、圧縮空気が図示しないエアホースを介して打込機２０１のハンドル２６０Ａ及びフレーム２６０内に画成された蓄圧室２０２に蓄積される。フレーム２６０内には円筒状のシリンダ２０３が設けられ、シリンダ２０３内には上下に摺動可能にピストン２０４ａが設けられ、ピストン２０４ａにはドライバブレード２０４ｂが一体に設けられ、先端部２０４ｃによって留め具を打ち込むように構成される。
【０１１５】
シリンダ２０３下端外周にはドライバブレード２０４ｂを上死点に復帰させるための圧縮空気を貯める戻り室２３３が設けられている。シリンダ２０３の軸方向中央部には逆止弁２３４が備えられ、シリンダ２０３内からシリンダ２０３外の戻り空気室２３３への一方向にのみ流通させる空気通路２３５が形成され、またシリンダ２０３下方には、戻り空気室２３３に常時開放されている空気通路２３６が形成されている。このシリンダ２０３の上方には、シリンダ２０３内面、ピストン２０４ａより画成されるピストン２０４ａ上室をフレーム２６０内に延出した箇所であるピストン上室２６６が画成されており、このピストン上室２６６から後述するトリガバルブ部２０６に連接する空気通路２６２が延出されている。
【０１１６】
またシリンダ２０３下端には図示せぬ留め具を打ち込んだ後のドライバブレード２０４ｂの余剰エネルギーを吸収するためのピストンバンパ２３７が設けられている。ハンドル２６０Ａの基部には、作業者によって操作されるトリガ２３９が設けられ、またハンドル２６０Ａの基部でトリガ２３９に対向する箇所には後述のトリガバルブ部２０６が設けられている。周知のごとく、トリガ２３９の引き操作と、図示しないプッシュレバーとの被打込材への押し当て操作の両方が行われた時に、トリガバルブ部２０６のプランジャ２０７が押し上げられる。ノーズ２４１には、留め具を充填するマガジン２４４と、ピストン２０４ａの往復動に対応してマガジン２４４に装填された留め具を順次射出口２４６に給送する図示しない給送機構とが設けられている。
【０１１７】
図１７及び図１８に示すトリガバルブ部２０６は、バルブブッシュ２１０と、バルブピストン２０９と、プランジャ２０７と、スプリング２１２を主な構成要素とする。
【０１１８】
バルブブッシュ２１０は、トリガバルブの外郭となるトリガバルブ外枠部としてフレーム２６０に固定されている。バルブピストン２０９は、バルブブッシュ２１０内に往復摺動可能に設けられている。プランジャ２０７は、バルブブッシュ２１０内貫通孔に往復摺動可能に設けられ、下端がトリガ２３９に当接する。スプリング２１２は、バルブピストン２０９とプランジャ２０７との間に設けられてバルブピストン２０９を上方に付勢すると共にプランジャ２０７を下方に付勢する。
【０１１９】
ピストン上室２６６より延出されフレーム２６０内に画成される円管である空気通路２６２は、トリガバルブ部２０６に連通してトリガバルブ部２０６内に開放されている。また、ハンドル２６０Ａ内に画成されてハンドル２６０Ａの端部に排気穴２４９を備えた排気パイプ２６３は、トリガバルブ部２０６の空気通路２６２が連通している箇所より下方で、トリガバルブ部２０６に連通してトリガバルブ部２０６内に開放されている。そしてトリガバルブ部２０６内の、トリガバルブ部２０６内に空気通路２６２が開放された箇所と、トリガバルブ部２０６内に排気パイプ２６３が開放された箇所との間に、内部にバルブピストン２０９が貫通する孔が穿設されたバルブプレート２６４が設置されている。また、このバルブプレート２６４に設けられた孔のバルブピストン２０９が貫通した箇所に形成される隙間が空気通路２２２となる。
【０１２０】
フレーム２６０のトリガバルブ部２０６が設けられる箇所には、トリガバルブ部２０６内と蓄圧室２０２を連通する空気通路２２０が形成される。
【０１２１】
バルブピストン２０９はその摺動方向の一面が空気通路２２０を通して蓄圧室２０２に面している。バルブピストン２０９の上端で空気通路２６２の開口部付近にはバルブピストンラバー２２１が嵌着されており、このバルブピストンラバー２２１は、バルブピストン２０９が上死点にあるときに空気通路２２０周辺のフレーム２６０に当接し、バルブピストン２０９が下死点にあるときに、バルブプレート２６４の中心孔周辺に当接する。
【０１２２】
バルブピストン２０９のバルブブッシュ２１０に係る箇所の外径がバルブブッシュ２１０に穿設された孔径より小さく成形されており、この小さく成形された箇所にそれぞれの通路を遮断するOリング２２４が嵌着されている。またバルブブッシュ２１０には、空気通路２２２と大気とを常時遮断する図示しないOリングが嵌着されている。
【０１２３】
バルブピストン２０９の下方には、バルブピストン２０９の摺動方向の他面とバルブブッシュ２１０とにより、トリガバルブ室２１３が画成される。このトリガバルブ室２１３はバルブピストン２０９が移動可能に収容されるため容積が変動するが、その容積の最大値、即ちバルブピストン２０９が上死点にある時の値Ｖ２は４．０×１０−７（ｍ３）となるように成形されている。またバルブピストン２０９のトリガバルブ室２１３に係る箇所にはトリガバルブ室２１３と空気通路２２２との連通を常時遮断するOリング２２４が嵌着されている。
【０１２４】
プランジャ２０７はトリガバルブ室２１３内を貫通しており、上端側がバルブピストン２０９の中心部に穿設された孔２６１を介して蓄圧室２０２に面している。プランジャ２０７のバルブピストン２０９及びバルブブッシュ２１０に係る箇所は、その箇所のプランジャ２０７の直径がバルブピストン２０９及びバルブブッシュ２１０に穿設された孔径より小さく成形されており、この小さく成形された箇所にそれぞれの通路を遮断するOリング２１５、Oリング２１８が嵌着されている。
【０１２５】
よってプランジャ２０７とバルブピストン２０９との間には蓄圧室２０２からトリガバルブ室２１３に連通する空気通路２１４を形成し、プランジャ２０７とバルブブッシュ２１０との間にはトリガバルブ室２１３から大気に連通するトリガバルブ制御通路２１６が形成される。これら空気通路２１４及びトリガバルブ制御通路２１６はプランジャ２０７が摺動することにより、択一的に連通、遮断される。
【０１２６】
このバルブブッシュ２１０とプランジャ２０７との間に形成されるトリガバルブ制御通路２１６の断面積Ｓ２は１．９８×１０−６（ｍ２）となるように形成されている。よってトリガバルブ室２１３の容積をトリガバルブ制御通路２１６の断面積で除した値はＶ２／Ｓ２＝０．２となる。
【０１２７】
トリガバルブ部２０６の構成において、バルブピストン２０９が上死点にある時にバルブピストンラバー２２１が空気通路２２０周辺のフレーム２６０に当接する。この時に空気通路２２０を閉鎖してピストン上室２６６に連なる空気通路２６２と蓄圧室２０２とが遮断され、空気通路２２２が開通してピストン上室２６６に連なる空気通路２６２と排気パイプ２６３とが連通される。バルブピストン２０９が下死点側に位置している時には、バルブピストンラバー２２１がバルブプレート２６４に当接する。この時に空気通路２２２を閉鎖してピストン上室２６６に連なる空気通路２６２と排気パイプ２６３とが遮断され、空気通路２２０が開通してピストン上室２６６に連なる空気通路２６２と蓄圧室２０２とが連通される。
【０１２８】
プランジャ２０７が上死点側に位置している時には、トリガバルブ制御通路２１６が開通してトリガバルブ室２１３と大気とが連通すると共に、空気通路２１４が閉鎖して蓄圧室２０２とトリガバルブ２１３とがOリング２１５で遮断される。またプランジャ２０７が下死点側に位置している時には、トリガバルブ制御通路２１６が閉鎖してトリガバルブ室２１３と大気とがOリング２１８で遮断されると共に、空気通路２１４が開通して蓄圧室２０２とトリガバルブ室２１３とが連通する。
【０１２９】
上記構成の打込機２０１による打ち込み動作について説明する。打込機２０１に図示していないエアホースをつないで圧縮空気を蓄圧室２０２貯溜した状態を図１７、図１８に示す。この時に、図１８に示すようにプランジャ２０７はスプリング２１２の付勢力により下死点に位置している。プランジャ２０７が下死点に位置していることにより、空気通路２１４が開通しており、蓄圧室２０２とトリガバルブ室２１３とが連通している。同時にトリガバルブ制御通路２１６がプランジャ２０７と協働してOリング２１８で閉鎖されているため、トリガバルブ室２１３と大気との連通は遮断されており、蓄圧室２０２内の圧縮空気の一部は空気通路２１４を介してトリガバルブ室２１３内に流入し、トリガバルブ室２１３内には蓄圧室２０２と同圧の空気が蓄積される。
【０１３０】
このときスプリング２１２の押圧力及び受圧面積差によりバルブピストン２０９は上死点に位置している。バルブピストン２０９が上死点に位置しているのでバルブピストンラバー２２１により空気通路２２０が閉鎖されて、蓄圧室２０２と空気通路２６２とが遮断されている。同時に空気通路２２２が開通しているため、空気通路２６２と排気パイプ２６３とが連通してピストン上室２６６は大気圧となり、図１７に示すように、ピストン２０４ａは上死点に位置する。
【０１３１】
トリガ２３９の引き操作および図示しないプッシュレバーの被打込材への押し当て操作の両方を行い、プランジャ２０７を上死点に押し上げた瞬間の状態を図１９に示す。プランジャ２０７が上死点側に位置することによりOリング２１８のシールが無効となり、トリガバルブ制御通路２１６が開通する。これによりトリガバルブ室２１３と大気とが連通するため、トリガバルブ室２１３内は大気圧となる。また蓄圧室２０２とトリガバルブ室２１３との連通をOリング２１５で遮断するため空気通路２１４が閉鎖して、蓄圧室２０２からトリガバルブ室２１３内への空気の流入が停止する。
【０１３２】
トリガバルブ室２１３内が大気圧となるため、バルブピストン２０９の蓄圧室２０２側が受ける圧力とトリガバルブ室２１３内側が受ける圧力に差が生じ、バルブピストン２０９は下死点に移動する。
【０１３３】
トリガバルブ室２１３内圧力が低下し始めてからバルブピストン２０９が最大変位点まで移動する時間：Ｔ２とＶ２／Ｓ２との関係は、概ね図６のようになる。該第３の実施の形態の値：Ｖ２／Ｓ２＝０．２の場合には、バルブピストンが上死点から下死点まで移動する時間が約０．７５ｍｓとなる。Ｖ２／Ｓ２＝０．１５とするとＴ２は更に小さくすることができ、Ｖ２／Ｓ２＝０．１０とするとそれよりも更に小さくすることができる。これらＴ２の値は、従来の打込機の値よりも十分に小さい値である。
【０１３４】
よって、トリガバルブ室２１３容積Ｖ２とトリガバルブ制御通路２１６の断面積Ｓ２を上記値とすることにより、トリガバルブ室２１３内の圧縮空気の抜けが早くなり、トリガバルブ室２１３が大気圧になるまでの時間が短縮され、かつバルブピストン２０９が下死点に下がる際にも空気の抜けがよくなるため、トリガバルブ室２１３内にいわゆるエアダンパを形成し難く、バルブピストン２０９は即時に上死点から下死点へと移動することができる。尚、バルブピストン２０９はスプリング２１２により上死点側に付勢されているが、このスプリング２１２のバネ力は予めこの圧力差により生じる力より弱く設定されているため、バルブピストン２０９の動作に影響を与えることはない。
【０１３５】
図１９に示されるように、バルブピストン２０９が下死点に位置するとバルブピストンラバー２２１により、空気通路２２２が閉鎖されて空気通路２６２と排気パイプ２６３との連通が遮断される。この時に空気通路２２０のシールが無効となるため、蓄圧室２０２と空気通路２６２が連通して蓄圧室２０２からピストン上室２６６内へ空気が流入し、ピストン上室２６６が蓄圧室２０２と同圧になる。この時にピストン２０４ａ上室の圧力≫ピストン２０４ａ下室の圧力となるため、ピストン２０４ａは急激に下死点側に移動しながら、ピストン２０４ａに連接されている先端部２０４ｃにより留め具を打ち込む。シリンダ２０３内のピストン２０４ａ下側の空気は、空気通路２３６を介して戻り空気室２３３に流入し、ピストン２０４ａが空気通路２３５を通過すると、ピストン２０４ａ上室の圧縮空気の一部が空気通路２３５を介して戻り空気室２３３に流入する。
【０１３６】
トリガ２３９を戻すか図示しないプッシュレバーの被打込材への押し当て操作をやめると、プランジャ２０７は上端部に作用する蓄圧室２０２の圧力とスプリング２１２の押圧力によって下死点側に移動する。
【０１３７】
プランジャ２０７が下死点に移動することにより、プランジャ２０７とOリング２１８との協働によってトリガバルブ制御通路２１６が閉鎖され、プランジャ２０７とOリング２１５とが離間しOリング２１５のシールが無効になって空気通路２１４を介して蓄圧室２０２の圧縮空気がトリガバルブ室２１３に流入する。
【０１３８】
トリガバルブ室２１３に圧縮空気が流入すると、バルブピストン２０９の上部端面の面積および下方端面の面積の差により発生する押圧力と、スプリング２１２の付勢力とによって、バルブピストン２０９は上死点側に移動する。
【０１３９】
この時にバルブピストンラバー２２１で空気通路２２０が閉鎖されて蓄圧室２０２と空気通路２６２との間を遮断するため、蓄圧室２０２からピストン上室２６６への空気の流入は停止する。更に空気通路２２２のシールが無効となるため、空気通路２６２と排気パイプ２６３とが連通する。これにより、空気通路２６２に連なるピストン上室２６６内に蓄積された空気が排気パイプ２６３及び排気穴２４９より大気に排出され、ピストン上室２６６は大気圧となる。
【０１４０】
よって、戻り空気室２３３に蓄積された圧縮空気によってピストン２０４ａ下側が押圧され、ピストン２０４ａは急激に上死点側に移動し、打込機２０１は図１７に示す初期状態に戻る。
【図面の簡単な説明】
【０１４１】
【図１】第１の実施の形態にかかる打込機における断面詳細図。
【図２】第１の実施の形態にかかる打込機におけるトリガバルブ部周辺の断面詳細図。
【図３】第１の実施の形態にかかる打込機におけるメインバルブ部周辺の断面詳細図。
【図４】第１の実施の形態にかかる打込機におけるトリガバルブ部周辺のプランジャ７が押し上げられた状態の断面詳細図。
【図５】第１の実施の形態にかかる打込機におけるトリガバルブ部周辺のプランジャ７が押し上げられた後バルブピストン９が下死点に移動した状態の断面詳細図。
【図６】第１の実施の形態にかかる打込機におけるトリガバルブ室／トリガバルブ制御通路とバルブピストンが変位する時間の関係を表したグラフ。
【図７】第１の実施の形態にかかる打込機におけるメインバルブ部周辺のメインバルブ１９が上死点に移動した状態の断面詳細図。
【図８】第１の実施の形態にかかる打込機におけるメインバルブ室／メインバルブ制御通路とメインバルブが変位する時間の関係を表したグラフ。
【図９】第１の実施の形態にかかる打込機におけるトリガバルブ部周辺のバルブピストン９が下死点に移動した後プランジャ７が元の位置に戻った状態の断面詳細図。
【図１０】第１の実施の形態にかかる打込機において形成される各室圧力、メインバルブ変位、バルブピストン変位、ピストン変位と時間の関係を表したグラフ。
【図１１】従来の打込機において形成される各室圧力、メインバルブ変位、バルブピストン変位、ピストン変位と時間の関係を表したグラフ。
【図１２】第１の実施の形態にかかる打込機におけるメインバルブ部周辺の他の実施の形態に係る断面詳細図。
【図１３】第２の実施の形態にかかる打込機における断面詳細図。
【図１４】第２の実施の形態にかかる打込機におけるトリガバルブ部周辺の断面詳細図。
【図１５】第２の実施の形態にかかる打込機におけるトリガバルブ部周辺のプランジャ１０７が押し上げられた状態の断面詳細図。
【図１６】第２の実施の形態にかかる打込機におけるメインバルブ１１９が上死点に移動した状態の断面詳細図。
【図１７】第３の実施の形態にかかる打込機における断面詳細図。
【図１８】第３の実施の形態にかかる打込機におけるトリガバルブ部周辺の断面詳細図。
【図１９】第３の実施の形態にかかる打込機におけるトリガバルブ部周辺のプランジャ２０７が押し上げられた状態の断面詳細図。
【符号の説明】
【０１４２】
１  打込機    ２  蓄圧室    ３  シリンダ    ４ｂ  ドライバブレード
４ａ  ピストン    ４ｃ  先端部    ５  留め具    ６  トリガバルブ部
７  プランジャ    ８  メインバルブ室    ９  バルブピストン
１０  外方バルブブッシュ    １１  内方バルブブッシュ    １２  スプリング
１３  トリガバルブ室    １４  空気通路    １５  Oリング
１６  トリガバルブ制御通路    １７  Oリング    １８  Oリング
１９  メインバルブ    ２０  空気通路    ２０  空気通路    ２１  Oリング
２２  空気通路    ２３  Oリング    ２４  Oリング    ２５  Oリング
２６  メインバルブ部    ２７  メインバルブラバー    ２８  メインバルブスプリング
２９  空気通路    ３０  エキゾーストラバー    ３１  Oリング    ３２  Oリング
３３  戻り空気室    ３４  逆止弁    ３５  空気通路    ３６  空気通路
３７  ピストンバンパ    ３８  操作部    ３９  トリガ
４０  メインバルブ制御通路    ４１  ノーズ    ４３  射出部    ４４  マガジン
４５  給送機構    ４６  順次射出口    ４８  アームプレート    ４９  排気穴
５１  丸    ６０Ａ  ハンドル    ６０  フレーム    ６１  メインバルブ画成部
６３  排気パイプ
【図１】
2005205504.tif 000003
【図２】
2005205504.tif 000004
【図３】
2005205504.tif 000005
【図４】
2005205504.tif 000006
【図５】
2005205504.tif 000007
【図６】
2005205504.tif 000008
【図７】
2005205504.tif 000009
【図８】
2005205504.tif 000010
【図９】
2005205504.tif 000011
【図１０】
2005205504.tif 000012
【図１１】
2005205504.tif 000013
【図１２】
2005205504.tif 000014
【図１３】
2005205504.tif 000015
【図１４】
2005205504.tif 000016
【図１５】
2005205504.tif 000017
【図１６】
2005205504.tif 000018
【図１７】
2005205504.tif 000019
【図１８】
2005205504.tif 000020
【図１９】
2005205504.tif 000021